(57)【要約】【課題】スノーボード用ビンディングのハイバックの変形特性のうち、特に後方への変形を使用者の好み等に応じて容易に調整することができるスノーボード用ビンディングのハイバックを提供する。【解決手段】本発明のスノーボード用ビンディングのハイバック１０は、ブーツの背面側を支持するハイバック本体２０と、  前記ハイバック本体２０の主面の上下中心部に軸心を取り付けて着脱可能なサポート部材３０と、  を備えたことを特徴としている。【選択図】    図１
2019122468.tif 000002
【特許請求の範囲】
【請求項１】
ブーツの背面側を支持するハイバック本体と、
前記ハイバック本体の主面の上下中心部に軸心を取り付けて着脱可能なサポート部材と、
を備えたことを特徴とするスノーボード用ビンディングのハイバック。
【請求項２】
前記サポート部材は、円柱形状であり、かつ前記ハイバック本体よりも剛性の高い部材であることを特徴とする請求項１に記載のスノーボード用ビンディングのハイバック。
【請求項３】
前記ハイバック本体は主面に前記サポート部材の着脱部を備え、
前記着脱部は、前記ハイバック本体の主面の上端に設けて前記サポート部材の一端が嵌る上部凹部と、前記サポート部材の他端が嵌る下部凹部を有するブラケットと、前記ブラケットを前記ハイバック本体に固定する締結ボルトからなることを特徴とする請求項１又は２に記載のスノーボード用ビンディングのハイバック。
【請求項４】
前記ハイバック本体は主面に前記サポート部材の着脱部を備え、
前記着脱部は、前記ハイバック本体の主面の上端に設けて前記サポート部材の一端が嵌る凹部と、前記サポート部材の他端と接続するブラケットと、前記ブラケットを前記ハイバック本体に固定する締結ボルトからなることを特徴とする請求項１又は２に記載のスノーボード用ビンディングのハイバック。
【請求項５】
前記ハイバック本体は主面に前記サポート部材の着脱部を備え、
前記着脱部は、前記ハイバック本体の主面の上端に設けて前記サポート部材の一端が嵌る上部凹部と、前記上部凹部と対向するとともに前記ハイバックの主面に設けて前記サポート部材の他端が嵌る下部凹部を有することを特徴とする請求項１又は２に記載のスノーボード用ビンディングのハイバック。
【請求項６】
前記サポート部材は、前記ハイバック本体の主面の上下中心線に沿って複数並べて配置したことを特徴とする請求項１ないし５のいずれか１に記載のスノーボード用ビンディングのハイバック。
【請求項７】
前記ハイバック本体は、主面の上下中心線を跨ぐ開口を有することを特徴とする請求項１ないし６のいずれか１に記載のスノーボード用ビンディングのハイバック。
【発明の詳細な説明】
【技術分野】
【０００１】
本発明は、特にブーツの背面側を支持して、スノーボードのバックサイド（背面側）ターン時に利用するスノーボード用ビンディングのハイバックに関する。
【背景技術】
【０００２】
図１０はスノーボード用ビンディングの説明図である。図示のようにスノーボード用ビンディング１は、ネジ等によってスノーボードへ固定するベースプレート２と、ブーツをベースプレート２に固定するための締付構造４と、ベースプレート２の後部に折り畳み可能に軸支されて、その展開状態においてブーツの背面を支持するハイバック５を備え、ブーツをスノーボードに固定できる。前記締付構造４は、ブーツのつま先を締め付けるトゥーストラップ４ａと、ブーツの足首を締め付けるアンクルストラップ４ｂと、バックル４ｃからなる。
このうちハイバック５は、主にバックサイドターン時に利用し、ブーツの背面側を支持してヒール側のエッジを立て易くしている。このハイバック５は所定の硬質性、及び転倒時の怪我防止のために柔軟性を兼ね備えた材料で形成されている。従来、後方又は左右方向の変形特性をユーザの好みや、滑走内容等に応じて最適化できる種々のハイバックが提案されている。
【０００３】
特許文献１に開示のハイバックは、ハイバック本体（バックサポート本体）の裏面にほぼ平板状の補強部材を固定した構成である。この補強部材は、下方部を当接した状態で固定し、上方部は後方に離間した状態で固定している。
【０００４】
特許文献２に開示のハイバックは、弾性を有する剛体で形成されたシェル部材を有し、上方の左右部分は斜め上方に向かう柔軟性を有し、中央部分は剛性を維持するように構成されている。
【０００５】
特許文献３に開示のハイバックは、開口部を有し、この開口部にブーツの一部を支持する織物状の材料を配置している。織物状の材料となるフィラメントは、開口部全体にわたって垂直、水平、斜め方向に延びて、脚からの力を伝達するのを補助し、脚に対する圧点を低減して、脚又はブーツ全体にわたって力を分散させている。
【先行技術文献】
【特許文献】
【０００６】
【特許文献１】特開２０１５−１３４０９３号公報
【特許文献２】実用新案登録第３１４９９８４号公報
【特許文献３】実用新案登録第３１３９５３６号公報
【発明の概要】
【発明が解決しようとする課題】
【０００７】
しかしながら、特許文献１によれば、平板形状の補強部材は全体として大型化し、重量増加、コスト高のおそれがある。また製造時において、剛性を調整するために所定の取り付け間隔となるように補強部材をハイバック本体へ組み付けているが、この調整に手間と時間がかかるおそれがあった。
【０００８】
特許文献２によれば、剛性を高めるニーズの場合、シェル部材の厚みを厚くしなければならない。そうすると必要以上に厚みが増して、重量も増加してしまう。また剛性をユーザの好みに合わせる場合、中央部分のみ交換することができず、シェル部材をそっくり交換しなければならず、コスト高となる。
【０００９】
特許文献３によれば、織物状の材料を採用することにより、垂直、水平、斜め方向に延びて力を伝達又は分散させることができる。しかしながら、後方のみなど特定の方向の伸び率を変える要請に対応することができない。またそのような要請について何ら考慮されていない。
【００１０】
上記従来技術の問題点に鑑み、本発明は、スノーボード用ビンディングのハイバックの変形特性、特に後方への変形を使用者の好み等に応じて容易に設定することができるスノーボード用ビンディングのハイバックを提供することにある。
【課題を解決するための手段】
【００１１】
上記課題を解決するための第１の手段として、本発明は、ブーツの背面側を支持するハイバック本体と、
前記ハイバック本体の主面の上下中心部に軸心を取り付けて着脱可能なサポート部材と、
を備えたことを特徴とするスノーボード用ビンディングのハイバックを提供することにある。
上記第１の手段によれば、ハイバックの特に後方への変形に対する反力となる剛性を備えることができる。またハイバックの左右方向（ハイバック本体の上端が捩れる方向）の変形にサポート部材が干渉することがなく、所定の柔軟性を有するハイバックの本来の左右方向の変形を維持することができる。
【００１２】
上記課題を解決するための第２の手段として、本発明は、第１の手段において、前記サポート部材は、円柱形状であり、かつ前記ハイバック本体よりも剛性の高い部材であることを特徴とするスノーボード用ビンディングのハイバックを提供することにある。
上記第２の手段によれば、ハイバックの特に後方への変形に対する反力となる剛性を備えることができる。またハイバックの左右方向（ハイバック本体の上端が捩れる方向）の変形に円柱形状のサポート部材が干渉することがなく、所定の柔軟性を有するハイバックを容易に変形（捩れる方向に変形）することができる。
【００１３】
上記課題を解決するための第３の手段として、本発明は、第１又は第２の手段において、前記ハイバック本体は主面に前記サポート部材の着脱部を備え、
前記着脱部は、前記ハイバック本体の主面の上端に設けて前記サポート部材の一端が嵌る上部凹部と、前記サポート部材の他端が嵌る下部凹部を有するブラケットと、前記ブラケットを前記ハイバック本体に固定する締結ボルトからなることを特徴とするスノーボード用ビンディングのハイバックを提供することにある。
上記第３の手段によれば、上下の凹部がサポート部材を軸支する構成であり、本来のハイバックの左右方向（ハイバック本体の上端が捩れる方向）の変形にサポート部材が干渉することがなく、所定の柔軟性を有するハイバックの本来の左右方向の変形を維持することができる。
【００１４】
上記課題を解決するための第４の手段として、本発明は、第１又は第２の手段において、前記ハイバック本体は主面に前記サポート部材の着脱部を備え、
前記着脱部は、前記ハイバック本体の主面の上端に設けて前記サポート部材の一端が嵌る凹部と、前記サポート部材の他端と接続するブラケットと、前記ブラケットを前記ハイバック本体に固定する締結ボルトからなることを特徴とするスノーボード用ビンディングのハイバックを提供することにある。
上記第４の手段によれば、サポート部材とブラケットを一体化して上方の凹部のみがサポート部材を軸支する構成であり、本来のハイバックの左右方向（ハイバック本体の上端が捩れる方向）の変形にサポート部材が干渉することがなく、所定の柔軟性を有するハイバックの本来の左右方向の変形を維持することができる。
【００１５】
上記課題を解決するための第５の手段として、本発明は、第１又は第２の手段において、前記ハイバック本体は主面に前記サポート部材の着脱部を備え、
前記着脱部は、前記ハイバック本体の主面の上端に設けて前記サポート部材の一端が嵌る上部凹部と、前記上部凹部と対向するとともに前記ハイバックの主面に設けて前記サポート部材の他端が嵌る下部凹部を有することを特徴とするスノーボード用ビンディングのハイバックを提供することにある。
上記第５の手段によれば、上下の凹部がサポート部材を軸支する構成であり、本来のハイバックの左右方向（ハイバック本体の上端が捩れる方向）の変形にサポート部材が干渉することがなく、所定の柔軟性を有するハイバックの本来の左右方向の変形を維持することができる。また着脱部の構成を簡易化及び軽量化でき、ハイバック本体の柔軟性を利用してサポート部材を容易に着脱できる。
【００１６】
上記課題を解決するための第６の手段として、本発明は、第１ないし第５のいずれか１の手段において、前記サポート部材は、前記ハイバック本体の主面の上下中心線に沿って複数並べて配置したことを特徴とするスノーボード用ビンディングのハイバックを提供することにある。
上記第６の手段によれば、ハイバック本体に取り付けるサポート部材の本数を任意に変更することができ、ユーザの好み、滑走内容等に応じてハイバック本体の後方への変形に対する反力となる剛性を容易に調整できる。
【００１７】
上記課題を解決するための第７の手段として、本発明は、第１ないし第６のいずれか１の手段において、前記ハイバック本体は、主面の上下中心線を跨ぐ開口を有することを特徴とするスノーボード用ビンディングのハイバックを提供することにある。
上記第７の手段によれば、ハイバック本体の柔軟性を確保し易く、かつ捩じれる方向へ容易に変形し易くなる。
【発明の効果】
【００１８】
本発明によれば、ハイバック本体が後方へ傾く力のみの反力を確保しつつ、後方以外の左右方向（捩じれ方向）に柔軟性を備えたスノーボード用ビンディングのハイバックを提供できる。
【図面の簡単な説明】
【００１９】
【図１】本発明のスノーボード用ビンディングのハイバックの背面図である。
【図２】本発明のスノーボード用ビンディングのハイバックの側面図である。
【図３】本発明のスノーボード用ビンディングのハイバックの正面図である。
【図４】図３のＡ−Ａ矢視図である。
【図５】ハイバックをベースプレートに取り付けた側面図である。
【図６】変形例のスノーボード用ビンディングのハイバックの背面図である。
【図７】変形例のハイバック本体の背面図である。
【図８】変形例のハイバック本体の側面図である。
【図９】変形例のハイバック本体の正面図である。
【図１０】スノーボード用ビンディングの説明図である。
【発明を実施するための形態】
【００２０】
本発明のスノーボード用ビンディングのハイバックの実施形態を添付の図面を参照しながら、以下詳細に説明する。
なお本明細書中のハイバックの後方とは、スノーボードに乗ったユーザの背面側を示している。また、ハイバックの左右方向とは、ハイバックの上端側が左右いずれかに捩れる方向を示している。またハイバックの上方とはベースプレートから離れる方向を示し、下方とはベースプレートに接近する方向を示している。
【００２１】
図１は本発明のスノーボード用ビンディングのハイバックの背面図である。図２は本発明のスノーボード用ビンディングのハイバックの側面図である。図３は本発明のスノーボード用ビンディングのハイバックの正面図である。図４は図３のＡ−Ａ矢視図である。図５はハイバックをベースプレートに取り付けた側面図である。
【００２２】
スノーボード用ビンディングのハイバック１０（以下、単にハイバックということあり）は、下端に左右一対のベースプレート２に対する軸支部２２が形成されてブーツの背面側を支持するように構成されるハイバック本体２０と、ハイバック本体２０の主面の上下中心線に沿って着脱可能に取り付けるサポート部材３０と、ハイバック本体２０の主面に対するサポート部材３０の着脱を可能とする着脱部４０を有している。
【００２３】
ハイバック本体２０は、ブーツの背面側に沿って覆う湾曲状に形成されて、下端に左右一対のベースプレート２に対する軸支部２２が形成されている。またハイバック本体２０の背面側の主面の上下方向に延びる中心線（以下、上下中心線ということあり）上と対向するベースプレート２の上端に係止して、ベースプレート２に対するハイバック本体２０の角度、換言するとハイバック本体２０が正面側に傾斜する角度を段階的に調整可能な角度調整部２４を備えている。ハイバック本体２０は全体的に肉厚を薄く形成して所定の柔軟性を有しているが、さらにブーツの背面と接する箇所の一部に上下中心線を跨ぐ開口部２６を設けて、より柔軟性を確保し易く、かつ捩じれる方向へ容易により変形し易くしている。
このようなハイバック本体２０は、ポリウレタンエラストマ、ポリプロピレン、ナイロン、ポリカーボネイト、ＡＢＳ（Ａｃｒｙｌｏｎｉｔｒｉｌｅ  Ｂｕｔａｄｉｅｎｅ  Ｓｔｙｒｅｎｅ）、ポリエチレンなどの剛性樹脂及びそれらの複合体や、カーボン複合材、ＦＲＰ（Ｆｉｂｅｒｇｌａｓｓ  Ｒｅｉｎｆｏｒｃｅｄ  Ｐｌａｓｔｉｃｓ）、その他の耐寒性があり柔軟性と硬質性を有する素材を適用することができる。
【００２４】
着脱部４０は、上部凹部４２と、下部凹部４４と、下部凹部４４を有するブラケット４６と、締結ボルト４８を有している（図１−４参照）。
上部凹部４２は、ハイバック本体２０の主面の上部に設けている。上部凹部４２は、サポート部材３０の一端が嵌る凹状に形成して、開口面が下方を向くように形成している。
ブラケット４６は、上面に下部凹部４４を有する部材であり、ハイバック本体２０の中心にとりつけることができる。下部凹部４４は、サポート部材３０の他端が嵌る凹状に形成している。ブラケット４６は主面に締結ボルト４８が螺合するメネジを施した締結穴４６１を有している（図４参照）。
【００２５】
このようなブラケット４６は、ハイバック本体２０の中心に設けた中心孔２１の一方の開口側（ハイバック本体２０の背面側）に締結孔４６１の位置合わせをする。このとき下部凹部４４が上面に配置されるようにしている。そして中心孔２１の他方の開口側（ハイバック本体２０の正面側）から締結ボルト４８を挿入し螺合させることによりブラケット４６をハイバック本体２０に着脱可能に取り付けることができる。
なおブラケットの構成は、この他にも前述の上部凹部及びブラケットの位置関係を上下反対にしてもよい。
着脱部の構成は、この他にもブラケットを用いずに、ハイバック本体２０の柔軟性を利用して、下部凹部をハイバック本体２０の主面に直に設けてもよい。この場合下部凹部は開口部２６の下端で、上部凹部４２と対向する箇所に設けると良い。このような着脱部の構成によるサポート部材３０の取り付けは、例えばハイバック本体２０を捩れ方向に変形して上部及び下部凹部を離間させた状態で、サポート部材３０の一端を上部凹部に挿入し、他端を下部凹部に挿入して取り付けることができる。
【００２６】
サポート部材３０は、柱状かつ、ハイバック本体２０よりも剛性の高い部材である。サポート部材３０は、ハイバック本体２０の上下中心線に沿って中心から上端まで跨る長さに設定している。本実施形態のサポート部材３０は一例として円柱の形状を採用しているが、この他、多角柱（四角柱、六角柱など）の形状を採用することもできる。
このようなサポート部材３０は、ハイバック本体２０よりも剛性の高い、カーボン複合素材、グラスファイバー素材等を適用して所定の剛性に設定することができる。またこのような素材に加えて直径を任意に変更することにより剛性を設定することもできる。
なお、サポート部材は、軸心をハイバック本体の上下中心部に取り付けていればよく、換言すると、上下中心線付近、例えば軸心を上下中心線からわずかに外れた位置や、上下中心線を僅かに傾けて上下方向に延びる直線上、又は上下中心線上又は上下中心線と所定間隔を開けて平行に取り付けていればよく、柱状の他にも平板状、軸心に沿って直径の異なる異形状に形成することもできる。
またサポート部材は、いずれか一端をブラケットに接続した一体型の構造であってもよい。
【００２７】
［変形例］
図６は変形例のスノーボード用ビンディングのハイバックの背面図である。図示のように変形例のスノーボード用ビンディングのハイバック１０Ａは、複数のサポート部材３０をハイバック本体２０に取り付けている（図６では３本）。
図６に示す着脱部４０Ａは３本のサポート部材３０を取付けできるように上部及び下部凹部４２Ａ，４４Ａに３個の凹部を形成している。そして真ん中の凹部がハイバック本体２０の上下中心線上と一致するように配置している。
このような構成の変形例のスノーボード用ビンディングのハイバック１０Ａによれば、ハイバック本体２０に取り付けるサポート部材３０の本数を任意に変更することができ、ユーザの好み、滑走内容等に応じてハイバック本体２０の後方への変形に対する反力となる剛性を容易に調整できる。
【００２８】
図７は変形例のハイバック本体の背面図である。図８は変形例のハイバック本体の側面図である。図９は変形例のハイバック本体の正面図である。図示のように変形例のハイバック本体２０Ａは、図１−３に示すように開口部２６を設けていない。すなわち、ハイバック本体２０Ａ本来の全体的に薄肉に形成するだけの構成で柔軟性を確保している。
このような構成の変形例のハイバック本体２０Ａであっても、柔軟性を確保し易く、かつ捩じれる方向へ容易に変形し易くなる。
【００２９】
［作用］
上記構成による本発明のスノーボード用ビンディングのハイバックの作用について以下説明する。
ハイバック本体２０のサポート部材３０を取り付けたスノーボード用ビンディングのハイバック１０は、バックサイドターン時にハイバックが後方に変形しようとすると、後方に変形しようとする方向とサポート部材の軸心が同一平面上にあるためサポート部材３０の剛性が反力となって、後方への変形を抑制できる。
また、ハイバック１０の左右方向に変形する場合には、上部及び下部凹部４２，４４に軸支されたサポート部材３０の捩れる方向となるが、ハイバック本体２０と両端（サポート部材の両端が上部又は下部凹部に嵌る構成）が又はいずれか一端（サポート部材の一端がブラケットに接続し、他端が凹部に嵌る構成）が直に接していない（一体的に構成していない）サポート部材３０と、上部及び下部凹部４２，４４を固定したハイバック本体２０と力の伝達が絶たれているため、左右方向の変形に干渉することがない。すなわち所定の柔軟性を有するハイバック本体２０の本来の左右方向の変形を維持できる。
【００３０】
ユーザの嗜好、滑走内容等によりハイバック１０の後方への変形の度合いを変えたい場合、サポート部材３０をハイバック本体２０から容易に取り外すことができる。剛性の調整は、剛性を段階的に変えたサポート部材３０を複数用意して、その中から任意に選択や、複数のサポート部材を着脱可能な着脱部によるサポート部材の設置数の変更などにより行うことができる。
このような本発明のスノーボード用ビンディングのハイバックによれば、ハイバック本体が後方へ傾く力のみの反力を確保しつつ、後方以外の左右方向（捩じれ方向）に柔軟性を備えたスノーボード用ビンディングのハイバックを提供できる。
以上、本発明の好ましい実施形態について説明した。しかしながら、本発明は、上記実施形態に何ら制限されることなく、本発明の主旨を逸脱しない範囲において、種々の変更が可能である。
また、本発明は、実施形態において示された組み合わせに限定されることなく、種々の組み合わせによって実施可能である。
【産業上の利用可能性】
【００３１】
本発明は、スノーボード用ビンディングのハイバックとして、産業上有効に利用することができる。
【符号の説明】
【００３２】
１………スノーボード用ビンディング、２………ベースプレート、４………締結手段、４ａ………トゥーストラップ、４ｂ………アンクルストラップ、４ｃ………バックル、５………ハイバック、
１０，１０Ａ………スノーボード用ビンディングのハイバック、
２０，２０Ａ………ハイバック本体、２１………中心孔、２２………軸支部、２４………角度調整部、２６………開口部、
３０………サポート部材、
４０………着脱部、４２………上部凹部、４４………下部凹部、４６………ブラケット、４６１………締結穴、４８………締結ボルト。
【図１】
2019122468.tif 000003
【図２】
2019122468.tif 000004
【図３】
2019122468.tif 000005
【図４】
2019122468.tif 000006
【図５】
2019122468.tif 000007
【図６】
2019122468.tif 000008
【図７】
2019122468.tif 000009
【図８】
2019122468.tif 000010
【図９】
2019122468.tif 000011
【図１０】
2019122468.tif 000012